(57)【要約】【課題】通気ビルディングブロック構造物および当該ブロックの製造装置用金型部材を提供する。【解決手段】金型アセンブリは、通気ビルディングブロックの製造に使用される。通気ビルディングブロックは、積み重ねた隣接ブロックが反転逆方向に配置されるように構成され、これによって、通気可能に保持しながら、視線を遮断し、雨の通過を防止することができる前面から背面に亘る通気路を形成する。【選択図】なし
2016537226.tif 000002
【特許請求の範囲】
【請求項１】
通気ビルディングブロックを装置成形するための金型アセンブリであって、
前記ビルディングブロックが、隣接ビルディングブロックと協働可能であり、当該隣接ビルディングブロックに対して積重ね反転逆方向に配置され、かつ、
長尺センター部と、当該センター部の側部に配設され且つ前記センター部に対して実質的に垂直に配置された一対の実質的に平行な側壁とを有し、
前記センター部が、前記側壁の上縁を越えて上方に突出し、
前記側壁が、前記センター部の前縁から前方に延在した金型アセンブリにおいて、
前記ビルディングブロックの最後端側および最前端側の一方を規定する外側仕切り板と、
前記ビルディングブロックの最後端側および最前端側の他の一方を規定する内側仕切り板と、
前記外側仕切り板および前記内側仕切り板の間に配置され且つ前記長尺センター部の傾斜前面を規定するコアブロック部と、
前記コアブロック部と協働可能で且つ前記ビルディングブロックの最後端側を規定する前記外側仕切り板または前記内側仕切り板の一方から離間して配置され、前記センター部が前記側壁の上縁を超えて上方に突出する箇所の当該センター部の厚さを規定するプレート部と、
前記コアブロック部の両側方側に配置され且つ前記センター部が前記側壁の上縁を超えて上方に突出する箇所の当該センター部の幅を規定する一対の折返しフランジと、
前記折返しフランジの外側かつ上方に配置され、前記側壁の上縁および前記センター部の高さを規定するストリッパーシューアセンブリとを有していることを特徴とする金型アセンブリ。
【請求項２】
前記プレート部が、前記コアブロック部の両側縁を越えて側方に延在している請求項１に記載の金型アセンブリ。
【請求項３】
前記ストリッパーシューアセンブリが、
前記コアブロック部に隣接配置され、前記センター部の高さを規定するストリッパーバーと、
当該ストリッパーバーの両側端に配置され、ストリッパーシューアセンブリがU字形を形成するように前記ストリッパーバーに対して配置されて前記側壁の上縁を規定するブロックとを有している請求項１に記載の金型アセンブリ。
【請求項４】
更に、前記ストリッパーシューアセンブリがボルト固定されるプランジャーを有し、当該プランジャーが、前記外側仕切り板および前記内側仕切り板に対して移動可能に構成されている請求項３に記載の金型アセンブリ。
【請求項５】
前記各ブロックは、前記プランジャーの下側に別々に取付け可能な２つの別体のブロック要素を有している請求項４に記載の金型アセンブリ。
【請求項６】
前記ストリッパーバーは、前記ブロックより肉薄の平坦プレート部材を有し、かつ、断面略矩形状に形成されている請求項３に記載の金型アセンブリ。
【請求項７】
更に、前記ストリッパーシューアセンブリがボルト固定されるプランジャーを有し、当該プランジャーが、前記外側仕切り板および前記内側仕切り板に対し移動可能に構成されている請求項１に記載の金型アセンブリ。
【請求項８】
更に、完成ブロックを前記金型から抜取るために、前記プランジャーに前記金型アセンブリを通過させる切欠きが前記プランジャー内に設けられている請求項７に記載の金型アセンブリ。
【請求項９】
前記コアブロック部および前記プレート部は、前記長尺センター部において傾斜前面が前記側壁の上縁を越えて上方に突出する箇所である垂直壁部へ実質的に移行するように、形成され且つ相互に配置されている請求項１に記載の金型アセンブリ。
【請求項１０】
前記コアブロック部および前記プレート部は、前記長尺センター部の傾斜前面が前記長尺センター部の底部から上部に向かって延在するように、形成され且つ相互に配置されている請求項１に記載の金型アセンブリ。
【請求項１１】
前記折返しフランジは、前記コアブロック部および前記ストリッパーシューアセンブリに対して、前記長尺センター部が前記側壁から内側にオフセットされるように配置されている請求項１に記載の金型アセンブリ。
【請求項１２】
更に、前記外側仕切り板および前記内側仕切り板の間に介在し、２つのビルディングブロックを同時に成形するための２つの金型チャンバーを画成するセンター仕切り板を有している請求項１に記載の金型アセンブリ。
【請求項１３】
前記内側仕切り板は、前記ビルディングブロックの最後端側および最前端側の他方を規定している請求項１に記載の金型アセンブリ。
【請求項１４】
請求項１に記載の金型アセンブリを使用して製造されたことを特徴とする通気ビルディングブロック。
【請求項１５】
請求項１に記載の金型アセンブリを使用して通気ビルディングブロックを製造する方法であって、
金型ボックス内に前記金型アセンブリを配置し且つ固定する工程と、
前記金型ボックス内にブロック材料を注入する工程と、
前記金型ボックスを振動させる工程と、
前記ストリッパーシューアセンブリにより前記ブロック材料を圧縮する工程と、
前記ストリッパーシューアセンブリにより前記金型アセンブリから成形済み通気ビルディングブロックを抜取る工程とを含むことを特徴とする通気ビルディングブロックの製造方法。
【請求項１６】
前記振動工程および前記圧縮工程を同時に行う請求項１５に記載の製造方法。
【請求項１７】
隣接ビルディングブロックと協働可能であり、当該隣接ビルディングブロックに対して積重ね反転逆方向に配置される通気ビルディングブロックであって、
当該通気ビルディングブロックは、
長尺センター部と、
当該センター部の側部に配設され且つ当該センター部に対して実質的に垂直に配置された一対の実質的に平行な側壁とを有し、
前記センター部は、前記側壁の上縁を越えて上方に突出し、
前記側壁は、前記センター部の前縁から前方に延在し、
前記長尺センター部は、傾斜前面と実質的に垂直な後面とを有し、
前記傾斜前面は、実質的に垂直な前記後面に対して所定角を以て配置され、当該所定角は、実質的に垂直な前記後面に対する前記傾斜前面の最大角であることを特徴とする通気ビルディングブロック。
【発明の詳細な説明】
【技術分野】
【０００１】
本発明は、通気ビルディングブロック構造物および当該ブロックの製造装置用金型部材に関するものである。
【背景技術】
【０００２】
現在、典型的なコンクリート通気ブロックは、複数積層された場合に通気「チムニー」が形成されるように、ブロック内を垂直方向に延びる直線状の内部通路を有する。これら及びその他のブロック構造物は、特許文献に詳述されている。例えば、米国特許第２，１３７，１５３号には、交互に逆方向に配向し且つ垂直に積重ねることにより、垂直および水平の両方向のベント通路（換気通路）を構成する通気壁ブロックが開示されている。米国特許第７，０９６，６３４号には、積重ね時に、垂直ベント又はコアを形成するブロックが開示されている。更に他のブロック構造物が、米国特許第１，７５８，７５７号、第２，６２４，１９３号、及び、第４，８２３，５３０号に開示されている。通気ビルディングブロック、及び、通気ビルディングブロックを形成するための金型コア並びにストリッパーシュー部材は、本出願人所有の米国特許第７，７５７，４５１号に記載されており、その記載内容全体を本願において引用する。
【０００３】
米国特許第７，７５７，４５１号に記載されたブロックは、長尺センター部と、当該センター部の側部に配設され且つ当該センター部に実質的に垂直に配置された一対の実質的に平行な側壁とからなり、前記センター部は、第１の垂直壁と第２の傾斜壁とを有する。斯かる傾斜壁は、前記センター部の比較的肉厚の底部壁と比較的肉薄の上部壁との間に延在する。水平肩部は、当該肩部が側壁の上縁と同一水平面上に位置するように、前記側壁の高さにほぼ等しい高さに傾斜前壁を横切って延設される。従って、ブロックの上部は、実質的に断面三角形状を成すと考えられる。
【０００４】
英国特許第７８２，７５４号に他の設計が記載されている。英国特許第７８２，７５４号におけるビルディングブロックは、（当該特許に記載されているように）「プレキャスト」である。プレキャスト製品は、金型にコンクリートを充填し、特定の時間（通常は最低２４時間）の間、又は、プレキャスト部材の設計に応じて２、３日の間放置した後、金型からプレキャストを抜取ることにより製造される。
【先行技術文献】
【特許文献】
【０００５】
【特許文献１】米国特許第２，１３７，１５３号公報
【特許文献２】米国特許第７，０９６，６３４号公報
【特許文献３】米国特許第１，７５８，７５７号公報
【特許文献４】米国特許第２，６２４，１９３号公報
【特許文献５】米国特許第４，８２３，５３０号公報
【特許文献６】米国特許第７，７５７，４５１号公報
【特許文献７】英国特許第７８２，７５４号公報
【発明の概要】
【発明が解決しようとする課題】
【０００６】
ところで、英国特許第７８２，７５４号の設計では、何れの場合も、金型から取り出す前に２〜６日を要する。しかしながら、斯かる英国特許の設計は、「上部」及び「下部」のコアブロックを必要とするため、従来のコンクリートブロック製造装置では製造することができない。下部コアブロックは、ブロック製造装置で行われているような金型からのブロックの抜取りを妨げるか、或いは、抜取りを不可能にする。
【０００７】
本発明は、自動コンクリートブロック製造装置に適用することができ、ブロックの強度を一層高めることができる通気ビルディングブロック、及び、当該ブロックの製造装置用金型部材を提供することにある。
【課題を解決するための手段】
【０００８】
本発明の例示的かつ非限定的な実施態様によれば、改良通気ビルディングブロックと共に、当該改良通気ビルディングブロックを形成するブロック製造装置用金型コアとストリッパーシュー部材を提供する。改良ブロックでは、当該側壁間および側壁上部に位置する当該ブロックの上部は、実質的に正方形断面形状を有していてもよい。他の実施形態では、傾斜壁は、底部から上部に亘り一定の傾斜を有していてもよい。また、水平肩部は、製造を容易にするために排除されている。更に、当該ブロックの上部は、側壁からわずかに内方にオフセットされていてもよい。
【０００９】
当該設計は、数秒、例えば、１サイクル毎に１０秒で、設計に応じてブロックを製造するように構成される自動コンクリートブロック製造装置に有利に適用し得る。また、コンクリートは振動下で圧縮されるので、ブロックの強度はプレキャストユニットの５〜１０倍となる。この増加強度は、プレキャスト製品よりも少量のセメント（コンクリートの中で最も高価な因子である）を使用することによっても達成される。
【００１０】
本明細書においては、改良ブロックを製造するために、新規な金型コアとストリッパーシュー部材を例示、記載する。
【００１１】
例示的実施態様において、金型アセンブリは、通気ビルディングブロックの製造装置成形のために使用される。ビルディングブロックは、隣接するビルディングブロックと協働可能（協働させて機能させることが可能）であり、当該隣接ビルディングブロックに対して積重ね反転逆方向に配置される。ビルディングブロックは、長尺センター部と、当該センター部の側部に配設され、当該センター部に対し実質的に垂直に配置された一対の実質的に平行な側壁とからなる。前記センター部は、前記側壁の上縁を越えて上方に突出していてもよいし、前記側壁は、前記センター部の前縁から前方に延在していてもよい。金型アセンブリは、ビルディングブロックの最後方側および最前方側の一方を規定する外側仕切り板と、ビルディングブロックの最後方側および最前方側の他の一方を規定する内側仕切り板とを有する。コアブロック部は、前記外側仕切り板および前記内側仕切り板の間に配置され、前記長尺センター部の傾斜表面を規定する。前記コアブロック部と、協働可能で且つ前記外側仕切り板または前記内側仕切り板の一方から離間して配置されるプレート部は、ビルディングブロックの最後方側を規定し、かつ、前記側壁の上縁を越えて上方に突出する箇所の前記センター部の厚さを規定する。前記コアブロック部の両側方側に配置された一対の折返しフランジは、前記側壁の上縁を越えて上方に突出する箇所の前記センター部の幅を規定する。前記折返しフランジの外側および上方に配置されたストリッパーシューアセンブリは、前記側壁の上縁と前記センター部の高さを規定する。
【００１２】
プレート部は、コアブロック部の両側縁を越えて側方に延在していてもよい。
【００１３】
ストリッパーシューアセンブリは、コアブロック部に隣接され、センター部の高さを規定するストリッパーバーと、当該ストリッパーバーの両側端に配置され、ストリッパーバーに対してストリッパーシューアセンブリがＵ字形を形成するように配置されたブロックとからなる。当該ブロックは、側壁の上縁を規定する。金型は、外側仕切り板および内側仕切り板に対し移動可能で且つストリッパーシューアセンブリがボルト固定されるプランジャーを有する。一つの構成において、各ブロックは、プランジャーの下側に別々に取付け可能な２つの別体のブロック要素を有する。ストリッパーバーは、ブロックより肉薄の平坦プレート部材を有してもよく、当該バーは、断面略矩形に形成される。
【００１４】
コアブロック部およびプレート部は、前記長尺センター部において傾斜前面が側壁の上縁を越えて上方に突出する箇所である垂直壁部に実質的に移行するように、形成され且つ相互に配置される。他の構成において、コアブロック部およびプレート部は、前記長尺センター部の傾斜前面が当該長尺センター部の底部から上部に延在するように、形成され且つ相互に配置される。
【００１５】
折返しフランジは、コアブロック部およびストリッパーシューアセンブリに対し、長尺センター部が側壁から内側にオフセットされるように配置されてもよい。
【００１６】
また、金型アセンブリは、外側仕切り板および内側仕切り板の間に介在し、２つのビルディングブロックを同時に成形するために使用される２つの金型チャンバーを画成するセンター仕切り板を有していてもよい。
【００１７】
内側仕切り板は、ビルディングブロックの最後端側および最前端側の他方を規定してもよい。
【００１８】
他の例示的実施態様において、通気ビルディングブロックは、本明細書中に記載された実施態様に従った金型アセンブリを使用して製造される。
【００１９】
更に他の例示的実施態様において、本明細書中に記載された実施態様に従った金型アセンブリを使用した通気ビルディングブロックの製造方法は、金型ボックス内に金型アセンブリを配置および固定する工程と、金型ボックス内にブロック材料を注入する工程と、金型ボックスを振動する工程と、ストリッパーシューアセンブリによりブロック材料を圧縮する工程と、ストリッパーシューアセンブリにより金型アセンブリから成形済み通気ビルディングブロックを抜取る工程とからなる。前記振動工程および圧縮工程は、同時に行うことができる。
【００２０】
また更に他の例示的実施態様において、通気ビルディングブロックは、隣接ビルディングブロックと協働可能であり、当該隣接ビルディングブロックに対して積重ね反転逆方向に配置される。当該通気ビルディングブロックは、長尺センター部と、当該センター部の側部に配設され且つセンター部に対して実質的に垂直に配置された一対の実質的に平行な側壁とからなり、前記センター部は、側壁の上縁を越えて上方に突出し、前記側壁は、センター部の前縁から前方に延在する。前記長尺センター部は、傾斜前面と、実質的に垂直な後面と有し、前記傾斜前面は、実質的に垂直な後面に対して所定角をもって配置され、当該所定角は、実質的に垂直な後面に対する傾斜前面の最大角である。
【発明の効果】
【００２１】
本発明によれば、自動コンクリートブロック製造装置に適用することができ、ブロックの強度を一層高め得る通気ビルディングブロック、及び、当該ブロックの製造装置用金型部材を提供できる。
【図面の簡単な説明】
【００２２】
【図１】本発明の例示的かつ非限定的な実施態様に従った通気ビルディングブロックの前部斜視図である。
【図２】通気ビルディングブロックの前部立面図である。
【図３】通気ビルディングブロックの後部立面図である。
【図４】通気ビルディングブロックの上面図である。
【図５】通気ビルディングブロックの底面図である。
【図６】通気ビルディングブロックの左側立面図である。
【図７】通気ビルディングブロックの右側立面図である。
【図８】図２の線分８−８に沿った断面図である。
【図９】図１〜８に示すブロックの製造に使用した金型コア、仕切り板およびストリッパーシューアセンブリの分解斜視図である。
【図１０】他の金型コア及びストリッパーシューアセンブリの分解斜視図である。
【図１１】図９に示す金型アセンブリの部分的組立状態における斜視図であり、本図において金型コアは図示されていない。
【図１２】図１０に示す金型アセンブリの部分的組立状態における斜視図であり、本図において金型コアは図示されていない。
【図１３】図９に示すストリッパーシュー部材の前面図である。
【図１４】図１３に示す左側部材の端面図である。
【図１５】図１６の線分１５−１５に沿った断面図である。
【図１６】図１３〜１５に示すストリッパーシューサブアセンブリの斜視図である。
【図１６Ａ】ストリッパーアセンブリ用の他のエンドシューの斜視図である。
【図１７】図１７〜２０は図１３〜１６と同様の図であり、他のストリッパーシューアセンブリの実施態様に従った図である。
【図１８】図１７〜２０は図１３〜１６と同様の図であり、他のストリッパーシューアセンブリの実施態様に従った図である。
【図１９】図１７〜２０は図１３〜１６と同様の図であり、他のストリッパーシューアセンブリの実施態様に従った図である。
【図２０】図１７〜２０は図１３〜１６と同様の図であり、他のストリッパーシューアセンブリの実施態様に従った図である。
【図２１】図９で示すコア及び仕切り板の左端図であり、組立て状態で示す図である。
【図２２】図２１で示す部材の平面図である。
【図２３】図１０で示す金型コア部材の左端部図である。
【図２４】図２３で示す金型コア部材の平面図である。
【図２５】他の例示的実施態様に従った金型コア及び仕切り板アセンブリの端部立面図である。
【図２６】図２５に示す金型コア及び仕切り板アセンブリの平面図である。
【図２７】金型ボックス内の金型アセンブリを示す図である。
【図２８】壁体を構築するために配置された隣接ブロックを示す図である。
【図２９】好ましい実施態様の通気ビルディングブロックにより構築された壁体を示す図である。
【発明を実施するための形態】
【００２３】
最初に図１〜８を参照すると、ブロック１０は、以下の形状に形成（成形）されており、長尺センター部１２と、当該センター部の両端に配設され且つセンター部に対して実質的に垂直に向けられた一対の側壁１４、１６とからなる。理解を容易にするために、前記ブロックは、前側、背側、上側および底側を有するものとして記載するが、理解されるように、これら用語は相対的であり、いかなる点でも限定を意図するものではない。例えば、図１は、ブロック１０の上部右前側斜視図を示す図であり、図２〜８は、図１の関連図を示す。従って、「上」、「底」、「前」、「背」、「左」及び「右」の各参照は、「前」側を前方に向けた図１に示すブロックに関するものである。しかしながら、理解されるように、隣接する上下ブロックは、組立て時、反転逆方向に配置されるため、図１で参照したブロックの特徴は単なる便宜上のものである。
【００２４】
ブロックのセンター部１２は、平坦かつ実質的に垂直な背面壁または後面１８と、略傾斜前面壁部または前面２０とを有する。背面壁１８は、側壁１４、１６の背面側縁（又は第１縁）２２、２４とそれぞれ整合または面一に配置される。傾斜前面壁部２０は、比較的肉厚の底面壁またはベース部２６及び比較的肉薄の上面壁２８の間に延在する。一実施態様では、傾斜前面壁は、側壁の略上縁３０、３２で垂直壁部２１へ移行する。他の実施態様では、傾斜前面壁は、底面側から上面側に亘って一定の傾斜（図８で破線で示す）有する。本質的には、傾斜前面壁部２０は、実質的に垂直な背面壁１８に対する所定角をもって配置され、その底面側から上面側に至る所定角は、実質的に垂直な後面１８に対する傾斜前面２０の最大角である。米国特許第７，７５７，４５１号に記載された水平棚部または肩部は、本発明においては排除される。一実施態様において、垂直壁部は、側壁から内側に数ｍｍ（例えば、各側で２〜４ｍｍ）オフセットされている。例示したオフセット部は、図中、符号２５、２７で示す。前面壁部２０の傾斜角は、好ましくは、水平底面壁またはベース部２６に対して約４５〜８０°（図５においては、約７０°であるが、当該傾斜角は、特定の適用用途に応じて変更されてもよい）の範囲にある。本明細書中において、用語「肉厚」及び「肉薄」は、ブロックの深さ方向の寸法に関する。
【００２５】
例示的実施態様において、側壁１４、１６は、傾斜前面壁部２０を越えて、即ち、当該壁部から前方に延在し、側壁の下側縁（第３縁）３０ａ及び３２ａは、底面壁またはベース部２６と整合している。
【００２６】
図１〜８で示す本発明の例示的かつ非限定的な実施形態において、ブロック１０は、約１９０〜４６０ｍｍ（例えば、約３９０ｍｍ）の長さ（側縁間距離）、及び、約８０〜２００ｍｍ（例えば、約９０ｍｍ）の深さ（前面と背面との間の距離）を有していてもよい。ブロックの合計高さ（底面と上面との間の距離）は、約８０〜２４０ｍｍ（例えば、約１０７ｍｍ）の範囲であってもよい。図示例では、垂直壁部２１は、側壁縁部３０、３２の上方へ約３２ｍｍ延在する。当該側壁は、約２８ｍｍの厚さを有していてもよい。センター部１２は、ベース部２６において、約５１ｍｍの深さ（本実施態様では、側壁１４、１６の前縁または第４縁２２ａ、２４ａは、センター部より前方に位置する）を有し、上縁２８において、約２７ｍｍの深さを有していてもよい。
【００２７】
理解されるように、ブロックの寸法は、均一の尺度で変更されてもよいし、特定の用途に応じて異なる寸法に変更されてもよい。また、理解されるように、ブロックは、コンクリートに加え、金属、プラスチック、樹脂等の材料を含む好適な如何なる建築材料から形成されてもよい。
【００２８】
図９〜２４においては、上記ブロック１０を形成するために使用される金型アセンブリを例示する。以下に記載する金型およびストリッパーシュー部材としては、他の従来のブロック製造装置、例えば、ベッサー社（Besser Mfg. Co.）、コロンビアマシーン社（ColumbiaMachine Co.）、へスマシーナリィ社（Hess Machinery Ltd.）、へスマシーネンファブリック社（Hess Machinenfabrik GMBH & Co.）、タイガーインターナショナル社（Tiger International Inc.）、及び、タイガーマシーン社（Tiger Machine Co., Ltd.）から入手可能なブロック製造装置において使用可能なものである。また、他の製造メーカーからも、同様の装置および当該装置用部材が提供されている。特にブロック１０用に設計された金型アセンブリ４８は、コア５０と、外側仕切り板５４と、内側仕切り板５２と、一対の端部ライナー（図示せず）とを有していてもよい。これら部材は、金型ボックス４２内に、ボルト固定される（図２７参照；金型ボックス４２内に４つの金型アセンブリ４８が示される）。プランジャー（又はストリッパーヘッド）５６及びストリッパーシューアセンブリ５８は、ストリッパーヘッドプレート（図示せず）にボルト固定して取付けられる。ストリッパーヘッドプレートは、プランジャー５６及びストリッパーシューアセンブリ５８を金型ボックス内に下降させることができる。プランジャー又はストリッパーヘッド５６内に設けられた切欠き５９（図１１）は、プランジャー又はストリッパーヘッドに金型内を通過させ、完成ブロックを金型から抜取るために利用される。ストリッパーシューアセンブリは、ストリッパーバー５８Ａと、当該バー５８Ａの両端に配置されたブロック５８Ｂとからなる。バー５８Ａ及びブロック５８Ｂは、図９に示す配置でプランジャーヘッド５６の底部にボルト固定し得るように構成される。バー５８Ａ及びブロック５８Ｂの間には、更に以下で述べるコア５０上の折返しフランジ６１間を通過するための空間が設けられる。コア５０は、側方に延在し且つ両端に固定された折返しフランジ６１を有する垂直配向プレート部６０と、ブロック１０の傾斜壁部２０及び側壁１４及び１６の内側面で形成される形状を有するコアブロック部６２とからなる。コア５０は、２枚の仕切り板５２又は５４の一方に取付けられる。例えば、コア５０が外側仕切り板５４に取付けられる場合、折返しフランジ６１は、内側仕切り板５２に接するか又は取付けられる。斯かる配置は、コア５０が内側仕切り板５２に取付けられる場合は逆になる。
【００２９】
続いて図９を参照すると、金型アゼンブリは、通気ビルディングブロックを装置成形するために使用される。得られたブロックは、隣接する同一の構成のビルディングブロックと協働可能であり、当該隣接ビルディングブロックに対して積重ね反転逆方向に配置される。金型の一つの構成において、外側仕切り板５４は、ビルディングブロックの最後端側および最前端側の一方を規定する。内側仕切り板５２は、ビルディングブロックの最後端側および最前端側の他の一方を規定する。図９に示す構成において、内側仕切り板５２は、ビルディングブロックの最後端側および最前端側の他方を規定する。コアブロック部６２は、外側仕切り板５４と内側仕切り板５２との間に配設される。コアブロック部６２は、長尺センター部１２の傾斜前面２０を規定する。プレート部６０は、コアブロック部６２と協働可能であり、ビルディングブロックの最後端側１８を規定する外側仕切り板５４又は内側仕切り板５２の一方から離間して配置される。プレート部６０は、センター部が側壁１４、１６の上縁を越えて上方に突出する箇所のセンター部１２の厚みを規定する。折返しフランジ６１は、コアブロック部６２の両側方側に配置される。一対の折返しフランジ６１は、センター部が側壁１４、１６の上縁を越えて上方に突出する箇所のセンター部１２の幅を規定する。ストリッパーシューアセンブリ５８は、前記折返しフランジ６１の外側かつ上方に配設され、側壁１４、１６の上縁およびセンター部１２の高さを規定する。
【００３０】
ストリッパーシューアセンブリ５８は、ストリッパーバー５８Ａと、ブロック５８Ｂとからなる。ブロック５８Ｂは、ストリッパーバー５８Ａの両側方端に配置され、ストリッパーシューアセンブリ５８がＵ字形を形成するように、ストリッパーバーに対して配置される。ストリッパーバー５８Ａは、センター部１２の高さを規定し、ブロック５８Ｂは、側壁１４、１６の上縁を規定する。ストリッパーシューアセンブリ５８がボルト固定されるプランジャー５６は、外側仕切り板５４及び内側仕切り板５２に対して移動可能に配置される。
【００３１】
コアブロック部６２及びプレート部６０は、長尺センター部１２において傾斜前面２０が側壁１４、１６の上縁を越えて上方に突出する箇所である垂直壁部２１へ実質的に移行するように、形成され且つ相互に配置されてもよい。コアブロック部６２及びプレート部６０は、長尺センター部１２の傾斜前面２０が、（図８の破線で示すように）長尺センター部の底部から上部に向かって延在するように、形成され且つ相互に配置されてもよい。折返しフランジ６１は、長尺センター部１２が側壁１４、１６から内側にオフセットされるように、コアブロック部６２及びストリッパーシューアセンブリ５８に対して配置されてもよい。
【００３２】
図１０は、他の実施態様を示しており、斯かる態様において、ストリッパーシューアセンブリのブロック５８Ｂは、各々、プランジャーヘッド５６の下側に別々に取付け可能な２つの別体のブロック要素から構成される。また、垂直配向されたコアプレート部６０Ａは、コアブロック部６２の両側縁を越えて側方に延在し且つ垂下フランジ部６３を具備している。折返しフランジ６１Ａは、図９の実施態様における折返しフランジ６１と同様の相対配置で設けられる。
【００３３】
図１１は、ブロック１０の成形後および分割プレート５２、５４からの分離後における、図９に示されたプランジャーヘッド５６、ストリッパーシューアセンブリ及びブロック１０を示している。図１２は、図１１と同様の図であるが、図１０に記載した部材を同図と同じ状態で配置して示している。
【００３４】
図１３〜１６は、図９に示すストリッパーシュー部材を示している。特に、バー５８Ａは、取付け穴６４を有し、端部ブロック５８Ｂは、各々、当該部材をプランジャー６６の下側に固定するための取付け穴６６、６８を有する。図１３に示すように、バー５８Ａは、端部ブロック５８Ｂより肉薄の平坦プレート部材から構成されてもよい。バー５８Ａは、断面略矩形に形成することができる。図１６Ａでは、溝きり端部ライナー（図示せず）に装着するストリッパーアセンブリ用の他の端部シュー７０を示している。
【００３５】
図１７〜２０は、図１０に示す他のストリッパーシュー部材を示している。斯かる実施態様において、センターバー５８Ａは、（取付け穴６４を含め）前述と同様の構成であるが、端部ブロック５８Ｂは、それぞれの取付け穴６６、６８を備えた２つの別体の要素に分割されている。端部ブロックの分割により、図１０に示すような長さの更に長いコアプレート部６０Ａを収容する。
【００３６】
図２１〜２２は、成形されるブロック１０の幅寸法を規定するための分割プレート５２、５４を備え、適所に成形準備された図９のコアアセンブリを示している。前記したように、コア部材は、分割プレート５２、５４に対して逆向きに配置されてもよい。
【００３７】
図２３〜２４は、図２１〜２２と同様の図であるが、図１０で示した他のコア部材を示しており、分割プレートは除去されている。
【００３８】
図２５〜２６は、図２１〜２２と同様の金型コアを示す図であるが、一対のブロック１０を同時成形可能なように、背合わせに配置された一対のコアアセンブリが示されている。斯かる配置では、コアブロック部６２を分割する第３又はセンター分割プレート５３を更に付設する必要がある。プレート５３は、プレート５２と同様の構成を有しており、プレート両側にコア部が取付けられる。センター分割プレート５３は、外側仕切り板５４と内側仕切り板５２との間に介在し、２つのビルディングブロックを同時成形するための２つの金型チャンバーを画成する。図示された実施態様では、センター分割プレート５３は、各金型チャンバーの２つのコアブロック６２間に介在する。本構成では、センター分割プレート５３は、各金型チャンバー内の各ビルディングブロックの最前端側を規定する。外側仕切り板５４及び内側仕切り板５２の両方ともに、各ビルディングブロックの最後端側を規定するように配置される。
【００３９】
全ての実施態様において、理解されるように、コア及びストリッパー構成部材の寸法は、完成ブロック１０の寸法に応じて変更してもよい。コアプレート部６０又は６０Ａは、コアブロック部５０の上縁上の何れの箇所に配置されてもよく、折返しフランジ６１又は６１Ａは、長さおよび幅の両方が変更されてもよい。
【００４０】
ベッサー社製およびコロンビア社製の装置に精通した当業者に理解されるように、ブロック製造工程においては、パレット板（図示せず）が、金型ボックス４２の下方位置に移動し、コンクリートが当該ボックス内に注入される。金型ボックス４２は、振動させられて、コンクリートを硬化させ、均一に分配する。次いで、前述のプランジャーヘッド５６及びストリッパーシューアセンブリ５８は、ボックス内に移動し、振動下において、内側および外側仕切り板５２、５４並びに端部ライナー（図示せず）の閉鎖領域内で且つコア５０の周囲でコンクリートを圧縮する。ブロック１０の形成後、パレットを取り除き、ブロックを金型から抜き取る。その際、ストリッパーシュー及びプランジャーヘッドは、完成した製品を金型ボックスから押出すことができる。
【００４１】
図２８は、壁体構築用に配置された隣接ブロックを示しており、図２９は、通気ビルディングブロックから構築された壁体を示している。完成したビルディングブロックは、同一構成の隣接ビルディングブロックと協働可能であり、当該隣接ビルディングブロックに対して積重ね反転逆方向に配置される。反転逆配向に配置された一対のブロックの前面２０は、当該ブロック対において通気通路３６を画成する。図示するように、通気通路３６は、ブロック対の外側面（図２８の右側）からブロック対の内側面（図２８の左側）に向かって、上方内側に前面２０の角度に従って配向して設けられる。図２９に示すように、ブロック対は、積重ねられて通気壁体４０を形成する。
【００４２】
本発明は、現在最も実用的かつ好ましいと考えられる実施態様に関して記述されたが、理解されるように、前述の実施態様に限定されるものではなく、種々の変更および等価の組合せを包含するものである。
【符号の説明】
【００４３】
１０：ブロック
１２：長尺センター部
１４：側壁
１６：側壁
１８：背面壁（後面）
２０：傾斜前面壁部（前面）
２１：垂直壁部
２５：オフセット部
２６：底面壁（ベース部）
２７：オフセット部
２８：上面壁
３０：側壁の上縁
３０ａ：側壁の下側縁（第３縁）
３２：側壁の上縁
３２ａ：側壁の下側縁（第３縁）
３６：通気通路
４０：通気壁体
４２：金型ボックス
４８：金型アセンブリ
５０：コア５０
５２：内側仕切り板（分割プレート）
５３：センター分割プレート
５４：外側仕切り板（分割プレート）
５６：プランジャー
５８：ストリッパーシューアセンブリ
５８Ａ：ストリッパーバー
５８Ｂ：ブロック
５９：切欠き
６０：垂直配向プレート部
６０Ａ：コアプレート部
６１：折返しフランジ
６１Ａ：折返しフランジ
６２：コアブロック部
６３：垂下フランジ部
６４：取付け穴
６６：取付け穴
６８：取付け穴
７０：端部シュー
【図１】
2016537226.tif 000003
【図２】
2016537226.tif 000004
【図３】
2016537226.tif 000005
【図４】
2016537226.tif 000006
【図５】
2016537226.tif 000007
【図６】
2016537226.tif 000008
【図７】
2016537226.tif 000009
【図８】
2016537226.tif 000010
【図９】
2016537226.tif 000011
【図１０】
2016537226.tif 000012
【図１１】
2016537226.tif 000013
【図１２】
2016537226.tif 000014
【図１３】
2016537226.tif 000015
【図１４】
2016537226.tif 000016
【図１５】
2016537226.tif 000017
【図１６】
2016537226.tif 000018
【図１６Ａ】
2016537226.tif 000019
【図１７】
2016537226.tif 000020
【図１８】
2016537226.tif 000021
【図１９】
2016537226.tif 000022
【図２０】
2016537226.tif 000023
【図２１】
2016537226.tif 000024
【図２２】
2016537226.tif 000025
【図２３】
2016537226.tif 000026
【図２４】
2016537226.tif 000027
【図２５】
2016537226.tif 000028
【図２６】
2016537226.tif 000029
【図２７】
2016537226.tif 000030
【図２８】
2016537226.tif 000031
【図２９】
2016537226.tif 000032
【国際調査報告】
2016537226.tif 000033